(57)【要約】【課題】倒伏した便蓋と便座ボックス、ロータンクカバー等のケースとの間の間隙を小さくすることができる便蓋装置を提供する。【解決手段】便蓋５Ａには、便蓋倒伏状態において前後方向に延在する第１ラック１２ａと、該第１ラック１２ａの後端に連なり上方に円弧状に湾曲して立ち上がる第２ラック１２ｂとが設けられている。ロータンクカバー６には、該第１及び第２ラック１２ａ，１２ｂに噛合したピニオン１４と、該ピニオン１４を回転させる駆動装置１６とが設けられている。ピニオン１４が回転しながら該第２ラック１２ｂの上端側及び下端側に相対移動することにより、便蓋５Ａが起立及び倒伏回動される。ピニオン１４が該第１ラック１２ａの後端側から前端側に相対移動することに伴い、便蓋５Ａは倒伏状態にて後方移動し、便蓋５Ａとロータンクカバー６との間の間隙が小さくなる。【選択図】  図１
2004180739.tif 000002
【特許請求の範囲】
【請求項１】
洋風便器の後部上面に設置されたケースと、該ケースに対し起倒回動可能に連結された便蓋とを有する便蓋装置において、
該便蓋は、所定距離だけ前進してから起立回動するように該ケースに連結されていることを特徴とする便蓋装置。
【請求項２】
請求項１において、該便蓋には、倒伏状態において前後方向に延在する第１ラックと、該第１ラックの後縁に連なり上方に円弧状に湾曲して立ち上がる第２ラックとが設けられており、
前記ケースには、該第１ラック及び第２ラックに噛合したピニオンと、該ピニオンを回転させる駆動装置とが設けられていることを特徴とする便蓋装置。
【請求項３】
請求項１又は２において、該ケースは便座ボックス又はロータンクカバーであることを特徴とする便蓋装置。
【発明の詳細な説明】
【０００１】
【発明の属する技術分野】
本発明は、洋風便器に設置される便蓋装置に関するものであり、特に便蓋の開閉構造を改良した便蓋装置に関する。
【０００２】
【従来の技術】
洋風便器の後部上面に便座ボックスやロータンクカバーが設置され、この便座ボックス又はロータンクカバーの前面に便座及び便蓋を起倒方向回動可能に取り付けた洋風便器設備が広く用いられている。
【０００３】
第６図は便座ボックスを備えた洋風便器の一例を示し、第７図はロータンクカバーを備えた洋風便器の一例を示している。
【０００４】
第６図では、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。
【０００５】
第７図では、洋風便器１の後部上面にロータンクカバー６が設置され、このロータンクカバー６に対し便座４と便蓋５とが起倒回動可能に取り付けられている。このロータンクカバー６内には、ロータンク、温水洗浄装置等が設置されている。
【０００６】
この便蓋５と便座ボックス３又はロータンクカバー６との間には便座５の起倒回動を許容するように所定の間隙があいている。なお、この間隙を過度に狭くすると、便蓋５を起立させるときに便蓋５の後縁が便座ボックス３又はロータンクカバー６に当ってしまう。
【０００７】
特開２００１−３２３５３５号の第０００３段落では、この間隙に塵やゴミが入るという問題点が指摘されているが、この間隙を狭くするという構成は同号公報を含めて、従来、提案されていない。
【０００８】
【特許文献１】
特開２００１−３２３５３５号公報
【０００９】
【発明が解決しようとする課題】
本発明は、倒伏した便蓋と便座ボックス、ロータンクカバー等のケースとの間隙を小さくすることができる便蓋装置を提供することを目的とする。
【００１０】
【課題を解決するための手段】
本発明の便蓋装置は、洋風便器の後部上面に設置されたケースと、該ケースに対し起倒回動可能に連結された便蓋とを有する便蓋装置において、該便蓋は、所定距離だけ前進してから起立回動するように該ケースに連結されていることを特徴とするものである。
【００１１】
かかる本発明の便蓋装置にあっては、便蓋を前進させてから起立回動させるので、便蓋が倒伏状態にあるときには、便蓋を従来よりも後方に位置させることができ、倒伏した便蓋とケースとの間隙を小さくすることができる。
【００１２】
本発明では、便蓋には、倒伏状態において前後方向に延在する第１ラックと、該第１ラックの後縁に連なり上方に円弧状に湾曲して立ち上がる第２ラックとが設けられており、ケースには、該第１ラック及び第２ラックに噛合したピニオンと、該ピニオンを回転させる駆動装置とが設けられている構成としてもよい。
【００１３】
この構成によれば、便蓋を自動開閉あるいはスイッチ操作で開閉させる便蓋装置において、倒伏した便蓋とケースとの間隙を小さくすることができる。
【００１４】
【発明の実施の形態】
以下、図面を参照して本発明の実施の形態について説明する。
【００１５】
第１図は本発明の実施の形態に係る便蓋装置の平面図、第２図〜第４図はこの便蓋装置の作動状況を示す断面図であり、第５図はこの便蓋装置の分解斜視図である。なお、第１図（ａ）及び第２図は便蓋が倒伏状態にあり且つケースとしてのロータンクカバーに接近した状態を示し、第１図（ｂ）及び第３図は便蓋が倒伏状態にあり且つ前進した状態を示し、第４図は便蓋が起立状態となった状態を示している。第２図〜第４図は、それぞれ第１図（ａ）のＩＩ−ＩＩ線に沿う断面図である。
【００１６】
以下の説明において、前後方向及び左右方向とは、便座に座った便器使用者にとっての前後方向及び左右方向をいう。
【００１７】
第５図に示すように、この実施の形態では、洋風便器１の後部上面にケースとしてロータンクカバー６Ａが設置され、このロータンクカバー６Ａの前面の下部に便座４と便蓋５Ａとが取り付けられている。この便座４と便蓋５Ａの後縁部の左右両端側からは、それぞれ、後方（便座４及び便蓋５Ａが倒伏状態となっているときの後方）に向って１対の延出部４ａ，４ａ及び５ａ，５ａが延出している。ロータンクカバー６Ａの前面の下部には、これらの延出部４ａ，４ａ同士の間及び５ａ，５ａ同士の間に突出する凸部６ａが設けられている。
【００１８】
便座４は、各延出部４ａが該凸部６ａの左右両側面に沿って配置されており、回転軸４ｂを介して起倒回動可能に該凸部６ａに取り付けられている。
【００１９】
便蓋５Ａの各延出部５ａも該凸部６ａの左右の側面に沿って配置されている。一方の延出部５ａの内側面（凸部６ａと向い合う面）には、後述のピニオン１４が嵌入されるピニオン案内溝１０が設けられている。このピニオン案内溝１０は、該内側面から延出部５ａの左右幅方向に略水平に凹設されている。また、このピニオン案内溝１０は、便蓋５Ａが倒伏した状態において前後方向に延在する第１案内部１０ａと、該第１案内部１０ａの後端に連なると共に上方に円弧状に湾曲して立ち上がるように延在する第２案内部１０ｂとから構成されている。
【００２０】
この第１案内部１０ａの下面に沿って該前後方向に延在する第１ラック１２ａが設けられている。また、該第１案内部１０ａの下面に連なる第２案内部１０ｂの側面に沿って、上方に円弧状に湾曲して立ち上がる第２ラック１２ｂが設けられている。この第２ラック１２ｂは第１ラック１２ａの後端に連なっている。
【００２１】
該一方の延出部５ａの内側面と向い合う凸部６ａの側面からは、駆動軸１６ａが水平方向に突設され、この駆動軸１６ａの先端にピニオン１４が固着されている。このピニオン１４は、ピニオン案内溝１０に嵌入されて該第１及び第２ラック１２ａ，１２ｂと噛合している。凸部６ａ内には、このピニオン１４を回転させる駆動装置１６が設置されている。
【００２２】
凸部６ａの反対側の側面からは、便蓋５Ａの他方の延出部５ａを保持するための保持軸１８が延出している。この保持軸１８は、該ピニオン１４及び駆動軸１６ａと同軸状に配置されている。
【００２３】
図示はしないが、該他方の延出部５ａの内側面には、この保持軸１８が摺動可能且つ回転可能に嵌入される保持軸案内溝が設けられている。該保持軸案内溝は、上記のピニオン案内溝１０と同様、便蓋５Ａが倒伏した状態において前後方向に延在する第１案内部と、該第１案内部の後端に連なり上方に円弧状に湾曲して立ち上がるように延在する第２案内部とから構成されている。
【００２４】
便蓋５Ａは、ピニオン１４が第１及び第２ラック１２ａ，１２ｂに噛合するようにピニオン案内溝１０内に嵌入されると共に、保持軸１８が保持軸案内溝内に嵌入されることにより、凸部６ａに連結されている。
【００２５】
ピニオン案内溝１０は、第２〜４図に示す通り、第１案内部１０ａ内においてピニオン１４が第１ラック１２ａに噛合しているときには、該第１案内部１０ａの上面が第１ラック１２ａと反対側から該ピニオン１４に当接すると共に、第２案内部１０ｂ内においてピニオン１４が第２ラック１２ｂに噛合しているときは、該第１案内部１０ａの上面に連なる第２案内部１０ｂの側面が第２ラック１２ｂと反対側から該ピニオン１４に当接するように構成されている。従って、ピニオン１４は、駆動装置１６の駆動力によって回転されると、これらの第１案内部１０ａの上面及び該第１案内部１０ａの上面に連なる第２案内部１０ｂの側面に沿って摺動しつつ、第１及び第２ラック１２ａ，１２ｂの歯に順次噛合することにより該ピニオン案内溝１０内を相対移動する。
【００２６】
このようにピニオン１４がピニオン案内溝１０内を相対移動するのに伴い、保持軸１８もピニオン１４の動きに倣って保持軸案内溝内を相対移動し、これにより、便蓋５Ａが平行移動する。
【００２７】
なお、第１図の右側の延出部５ａにも同様のピニオン及び駆動装置よりなる回動駆動機構を設けてもよい。
【００２８】
ピニオン１４がピニオン案内溝１０の第１案内部１０ａ内をその延在方向即ち前後方向に相対移動しているときは、第２図及び第３図に示すように、便蓋５Ａは、倒伏状態にて、後縁部がロータンクカバー６Ａの前面及び凸部６ａの前縁部と接離するように前後方向に移動する。
【００２９】
ピニオン１４が第１案内部１０ａの前端まで相対移動し、便蓋５Ａが倒伏状態でロータンクカバー６Ａ及び凸部６ａに最も接近した位置まで移動（後退）したときには、第１図（ａ）及び第２図に示すように、便蓋５Ａの後縁部とロータンクカバー６Ａの前面及び凸部６ａの前縁部との間の間隙は非常に小さいものとなる。これらの間に間隙が全く或いは殆ど存在しなくなるまで便蓋５Ａを後退させるようにしてもよい。また、ピニオン１４が第１案内部１０ａの後端まで相対移動し、便蓋５Ａがロータンクカバー６Ａ及び凸部６ａから最も離隔した位置まで移動（前進）すると、第１図（ｂ）及び第３図に示すように、該便蓋５Ａとロータンクカバー６Ａの前面及び凸部６ａの前縁部との間には、該便蓋５Ａが起立回動するのに十分な間隙が形成されるようになる。
【００３０】
ピニオン１４がピニオン案内溝１０の第２案内部１０ｂ内をその延在方向、即ち円弧を描くように上下方向に相対移動しているときには、便蓋５Ａは、第４図に示す如く起倒方向に回動する。
【００３１】
洋風便器１が使用されていない状況にあるときには、第１図及び第２図に示すように、該ピニオン１４は第１案内部１０ａの前端に配置されており、便蓋５Ａは、倒伏し、ロータンクカバー６Ａ及び凸部６ａに最も接近した位置まで後退した状態（以下、この状態を「待機状態」ということがある。）とされている。
【００３２】
駆動装置１６は、リモコン（図示略）等に設けられた便蓋開閉スイッチを操作することにより作動される。便蓋５Ａが待機状態となっているときに、該便蓋開閉スイッチが操作されると、駆動装置１６はピニオン１４を第２〜４図における時計回りに回転駆動する。この回転により、ピニオン１４が第１案内部１０ａの前端から後端に相対移動し、次いで該第１案内部１０ａの後端から第２案内部１０ｂの上端に相対移動する。これにより、便蓋５Ａは、第２図及び第３図の如くロータンクカバー６Ａ及び凸部６ａから離反するように前進した後、倒伏状態から第４図に示す如く起立状態となる。
【００３３】
また、便蓋５Ａが第４図に示す如く起立状態となっているときに再度便蓋開閉スイッチが操作されると、駆動装置１６はピニオン１４を第２〜４図における反時計回りに回転駆動する。この回転により、ピニオン１４が第２案内部１０ｂの上端から下端即ち第１案内部１０ａの後端に相対移動し、次いで該第１案内部１０ａの後端から前端に相対移動する。これにより、便蓋５Ａは起立状態から倒伏状態となると共に、倒伏状態においてロータンクカバー６及び凸部６ａに接近するように後退する。
【００３４】
なお、この駆動装置１６は、ピニオン１４の回転数をカウントしてこの回転数からピニオン案内溝１０内におけるピニオン１４の移動距離を検出するロータリエンコーダ（図示略）を備えた制御回路を有している。
【００３５】
この制御回路は、便蓋５Ａが待機状態となっているときに便蓋開閉スイッチが操作されると、前述の通りピニオン１４が第２〜４図における時計回り方向に回転されるよう駆動装置１６を作動させると共に、該ロータリエンコーダによって検出されたピニオン１４の移動距離が第１案内部１０ａの前端から第２案内部１０ｂの上端までの移動距離と等しくなったときに該駆動装置１６によるピニオン１４の回転を停止させる。これにより、便蓋５Ａが第４図に示す如き起立状態に保持される。
【００３６】
また、この制御回路は、便蓋５Ａが第４図の起立状態となっているとき即ちピニオン１４が第２案内部１０ｂの上端に位置しているときに便座開閉スイッチが操作されると、前述の通りピニオン１４が第２〜４図における反時計回りに回転されるように駆動装置１６を作動させると共に、該ロータリエンコーダによって検出されたピニオン１４の移動距離が第２案内部１０ｂの上端から第１案内部１０ａの前端までの移動距離と等しくなったときに該駆動装置１６によるピニオン１４の回転を停止させる。これにより、便蓋５Ａが第２図に示す如き待機状態とされる。
【００３７】
ただし、この駆動装置１６の制御回路の構成はこれに限られるものではない。例えば、ロータリエンコーダの代りに、ピニオン１４が第２案内部１０ｂの上端にまで移動したこと、及び第１案内部１０ｂの前端にまで移動したことを検知して駆動装置１６によるピニオン１４の回転駆動を停止させるよう構成されたリミットスイッチを用いてもよい。
【００３８】
この便蓋装置にあっては、便蓋５Ａを倒伏させたときに、該便蓋５Ａをロータンクカバー６Ａ及び凸部６ａと接近するように後退させて該便蓋５Ａの後縁部とロータンクカバー６Ａの前面及び凸部６ａとの間の間隙を小さくしておくことができる。これにより、この間隙に塵やゴミが入りこむことを抑制することができる。
【００３９】
この実施の形態では、便蓋５Ａに、該便蓋５Ａが倒伏した状態において前後方向に延在する第１ラック１２ａと、該第１ラック１２ａの後端に連なり上方に円弧状に立ち上がる第２ラック１２ｂとを設けると共に、ロータンクカバー６Ａの凸部６ａに、該第１及び第２ラック１２ａ，１２ｂに噛合したピニオン１４と、該ピニオン１４を回転させる駆動装置１６とを設け、便蓋開閉スイッチを操作することにより該駆動装置１６を作動させるよう構成している。このように構成したことにより、スイッチ操作ひとつで便蓋５Ａを開閉させることができると共に、該便蓋５Ａとロータンクカバー６Ａ及び凸部６ａとの間の間隙を自動的に小さくすることができる。
【００４０】
ただし、本発明においては、倒伏状態における便座の前進及び後退と、便蓋の起立及び倒伏回動とのすべて又は一部を手動にて行うよう構成してもよい。
【００４１】
なお、この実施の形態では、リモコン等の便蓋開閉スイッチを操作することにより、駆動装置１６が作動して便蓋５Ａの開閉及び倒伏状態における進退が行われるよう構成しているが、駆動装置１６の作動方法はこれ以外のものであってもよい。例えば、図示はしないが、洋風便器１に人体が接近したこと及び洋風便器１付近から人体が立ち去ったことを感知する人体感知センサをロータンクカバー６Ａ等に設け、この人体感知センサが洋風便器１への人体の接近を感知したときに自動的に便蓋５Ａが前進し、次いで起立回動すると共に、人体が洋風便器１付近から立ち去ったときに自動的に便蓋５Ａが倒伏回動し、次いで後退するように駆動装置１６を作動させる構成としてもよい。
【００４２】
上記の実施の形態は本発明の一例であり、本発明は上記の実施の形態に限定されるものではない。
【００４３】
上記の実施の形態ではケースとしてロータンクカバーを採用しているが、このロータンクカバーの代りに便座ボックスを採用してもよい。
【００４４】
【発明の効果】
以上の通り、本発明の便蓋装置によると、倒伏した便蓋と便座ボックス、ロータンクカバー等のケースとの間の間隙を小さくすることができ、これにより、この間隙に塵やゴミ等が入り込むことを抑制することが可能となる。
【図面の簡単な説明】
【図１】実施の形態に係る便蓋装置の平面図である。
【図２】図１の便蓋装置の作動状況を示す断面図である。
【図３】図１の便蓋装置の作動状況を示す断面図である。
【図４】図１の便蓋装置の作動状況を示す断面図である。
【図５】図１の便蓋装置の分解斜視図である。
【図６】便座ボックスを備えた洋風便器の一例を示す斜視図である。
【図７】ロータンクカバーを備えた洋風便器の一例を示す斜視図である。
【符号の説明】
１  洋風便器
３  便座ボックス
４  便座
５，５Ａ  便蓋
６，６Ａ  ロータンクカバー
６ａ  凸部
１０  ピニオン案内溝
１０ａ  第１案内部
１０ｂ  第２案内部
１２ａ  第１ラック
１２ｂ  第２ラック
１４  ピニオン
１６  駆動装置
１８  保持軸
【図１】
2004180739.tif 000003
【図２】
2004180739.tif 000004
【図３】
2004180739.tif 000005
【図４】
2004180739.tif 000006
【図５】
2004180739.tif 000007
【図６】
2004180739.tif 000008
【図７】
2004180739.tif 000009